Podtech/llm-jp-corpus-v4-ja_patent huggingface dataset:
(57)【要約】【課題】ガイドブックやカタログ等として、取り扱いやすい小冊子を提供する。【解決手段】積層したシート１の背部分を綴じ具２で開閉自在に綴じ合わせた小冊子において、シート１の綴じ具２方向の短辺の長さを５ｃｍ〜７ｃｍとし、綴じ具２に直交する方向の長辺の長さを９ｃｍ〜１２ｃｍとする。綴じ具２を螺旋状の蝶番として、積層したシート１の穴３に挿通し、綴じ具２の材料に紙を使用する。無理なくポケットに入れて持ち歩くことができ、ポケットから取り出したとき、手に収まって握りやすく、手で押さえておかなくてもシート１が開いた状態で保持される。また、廃棄する際、一般の可燃ごみとして処分することもできる。【選択図】図１
0003115350.tif 000002
【実用新案登録請求の範囲】
【請求項１】
積層したシートの背部分を綴じ具で開閉自在に綴じ合わせた小冊子において、シートの綴じ具方向の短辺の長さを５ｃｍ〜７ｃｍとし、綴じ具に直交する方向の長辺の長さを９ｃｍ〜１２ｃｍとしたことを特徴とする小冊子。
【請求項２】
請求項１に記載の小冊子において、綴じ具を螺旋状の蝶番として、積層したシートの穴に挿通したことを特徴とする小冊子。
【請求項３】
請求項１又は２に記載の小冊子において、綴じ具を紙から成るものとしたことを特徴とする小冊子。
【考案の詳細な説明】
【技術分野】
【０００１】
この考案は、ガイドブック、カタログ等として使用される小冊子に関するものである。
【背景技術】
【０００２】
一般に、観光用等のガイドブックは、小型のものでもＢ６版程度のサイズとされ、通常の書籍と同様、背貼りで製本されている。また、自動車や家電製品等のカタログは、Ａ４版以上の大判サイズとされ、ステープルで綴じられている。
【考案の開示】
【考案が解決しようとする課題】
【０００３】
しかしながら、上記のようなガイドブックでは、ポケットに入れて手軽に持ち歩くにはサイズが大きすぎ、また、開いた状態で保持したいとき、手で押さえておかなければ閉じてしまうという問題がある。
【０００４】
また、上記のようなカタログも、サイズが大きすぎて、店頭から持ち帰る際や自宅での保管時に嵩張るほか、廃棄する際にも、雑誌等と同様の取り扱いをしなければならず、煩わしいという問題がある。
【０００５】
そこで、この考案は、ガイドブックやカタログ等として、取り扱いやすい小冊子を提供しようとするものである。
【課題を解決するための手段】
【０００６】
上記課題を解決するため、この考案は、積層したシートの背部分を綴じ具で開閉自在に綴じ合わせた小冊子において、シートの綴じ具方向の短辺の長さを５ｃｍ〜７ｃｍとし、綴じ具に直交する方向の長辺の長さを９ｃｍ〜１２ｃｍとしたのである。
【０００７】
また、綴じ具を螺旋状の蝶番として、積層したシートの穴に挿通し、さらに、綴じ具の材料に紙を使用したのである。
【考案の効果】
【０００８】
この考案に係る小冊子は、ガイドブック等として持ち歩く際、無理なくポケットに入れることができ、綴じ具の反対側からシートをポケットに挿入すると、綴じ具がポケットの内面に引っ掛かることがなく、ポケットに収納した状態で、ポケットが綴じ具の部分で膨らんだりすることもない。
【０００９】
また、ポケットから取り出したとき、手に収まって握りやすく、綴じ具を螺旋状の蝶番としたことにより、手で押さえておかなくてもシートが開いた状態で保持され、シートを１８０°開いた状態で、記事を見ながら持ち歩くこともできる。
【００１０】
さらに、商品のカタログ等に用いた場合、店頭から持ち帰る際や、自宅での保管時に嵩張ることがなく、綴じ具を紙製としたものでは、廃棄する際、一般の可燃ごみとして処分することもできる。
【考案を実施するための最良の形態】
【００１１】
以下、この考案の実施形態を添付図面に基づいて説明する。
【００１２】
図１に示すように、この小冊子は、積層したシート１の背部分を綴じ具２で開閉自在に綴じ合わせ、シート１の綴じ具２方向の短辺の長さを５ｃｍ〜７ｃｍとし、綴じ具２に直交する方向の長辺の長さを９ｃｍ〜１２ｃｍとしたものである。
【００１３】
綴じ具２は、螺旋状の蝶番とされ、積層したシート１の穴３に挿通されている。この綴じ具２の材料には、紙が使用されている。
【００１４】
このような小冊子は、ガイドブック等として持ち歩く際、無理なくポケットに入れることができ、綴じ具２の反対側からシート１をポケットに挿入すると、綴じ具２がポケットの内面に引っ掛かることがなく、ポケットに収納した状態で、ポケットが綴じ具２の部分で膨らんだりすることもない。
【００１５】
また、ポケットから取り出して記事を見る際、手に収まって握りやすく、綴じ具２を螺旋状の蝶番としたことにより、図２に示すように、シート１を開いたとき、手で押さえておかなくても、開いた状態で保持される。また、シート１を１８０°開いた状態で、記事を見ながら持ち歩くこともできる。
【００１６】
さらに、商品のカタログ等に用いた場合、店頭から持ち帰る際や、自宅での保管時に嵩張ることがなく、綴じ具２を紙製としたので、廃棄する際、一般の可燃ごみとして処分することもできる。
【００１７】
なお、この小冊子は、ガイドブックや商品カタログのほか、各種情報誌等として使用することもできる。
【図面の簡単な説明】
【００１８】
【図１】この考案の実施形態に係る小冊子の閉じた状態を示す斜視図
【図２】同上の開いた状態を示す斜視図
【符号の説明】
【００１９】
１  シート
２  綴じ具
３  穴
【図１】
0003115350.tif 000003
【図２】
0003115350.tif 000004
(57)【要約】【課題】オレフィン樹脂を表層部材として用いた巻き尺において、目盛り用のインキの付着性を向上させること。【解決手段】巻き尺の表層部材２を構成するオレフィン樹脂（ＥＶＡ樹脂）の表面にコロナ放電を施すことにより凹凸を形成して粗面とし、その後、目盛り３を印刷するようにした。【選択図】図１
0003115369.tif 000002
【実用新案登録請求の範囲】
【請求項１】
テープ状のベース部材と、このベース部材に積層される表層部材とからなる巻き尺であって、表層部材が、オレフィン樹脂からなり、その表面にコロナ放電処理を施した後に目盛りを印刷したものである巻き尺。
【請求項２】
オレフィン樹脂が、ＥＶＡ樹脂（エチレン−酢酸ビニル共重合体）である請求項１に記載の巻き尺。
【考案の詳細な説明】
【技術分野】
【０００１】
本考案は、土木・建築等の工事現場や災害現場、あるいは各種のスポーツにおいて記録写真を撮影する際に使用する巻き尺に関する。
【背景技術】
【０００２】
記録写真の撮影に際して使用される巻き尺は、従来、ガラス繊維のクロスをベースにしたテープ状のベース部材に、表層部材として塩化ビニル樹脂を積層し、その表面に目盛りを印刷したものが主流である。
【０００３】
ところが、塩化ビニル樹脂を積層した従来の巻き尺は、寿命に達した巻き尺の廃棄において焼却処分がなされた場合に、塩化水素ガスが発生するうえ、燃焼温度によっては自然環境や人体に悪影響を及ぼすダイオキシンが発生するおそれもあって廃棄処分に際してはその処理が問題となる。
【０００４】
これに対して、特許文献１には、表層部材としてオレフィン樹脂、なかでもＥＶＡ樹脂（エチレン−酢酸ビニル共重合体）を積層した巻き尺が開示されている。
【０００５】
オレフィン樹脂は、炭素と水素から構成されているため廃棄に際して焼却処分しても二酸化炭素と水が生成されるのみであって、腐食性の塩化水素ガスやダイオキシン等の発生がないため自然環境に悪影響を与えるようなことがない。また、柔軟で低温でも硬くなり難いうえ、衝撃強度が比較的大きく、耐候性も良好であり、さらに、軽量、透明であって耐オゾン性にも優れている。
【０００６】
しかし、オレフィン樹脂は塩化ビニル樹脂と比べ目盛り用のインキとの馴染みが悪く付着性に劣るため、使用を重ねると目盛りが消えたり薄くなったりするという問題があり、ＪＩＳの規格を満足することができなかった。
【特許文献１】特開２００１−２０８５０２号公報
【考案の開示】
【考案が解決しようとする課題】
【０００７】
本考案が解決しようとする課題は、オレフィン樹脂を表層部材として用いた巻き尺において、目盛り用のインキの付着性を向上させることにある。
【課題を解決するための手段】
【０００８】
上記課題を解決するため、本考案は、巻き尺の表層部材を構成するオレフィン樹脂の表面にコロナ放電を施すことにより凹凸を形成して粗面とし、その後、目盛りを印刷するようにしたものである。
【０００９】
すなわち、本考案に係る目盛りは、テープ状のベース部材と、このベース部材に積層される表層部材とからなる巻き尺であって、表層部材が、オレフィン樹脂からなり、その表面にコロナ放電処理を施した後に目盛りを印刷したものである。
【００１０】
オレフィン樹脂としては、ＥＶＡ樹脂（エチレン−酢酸ビニル共重合体）が好ましい。
【考案の効果】
【００１１】
本考案によれば、巻き尺の表層部材を構成するオレフィン樹脂の表面にコロナ放電を施すことにより小さな凹凸を形成して粗面とするので、目盛り用のインキの付着性が向上し、ＪＩＳの規格を満足することができる。したがって、表層部材をオレフィン樹脂で構成した巻き尺を普及させることができ、従来の巻き尺の焼却処分時に生じていた環境問題を解消することができ、自然環境の保全に寄与できる。
【考案を実施するための最良の形態】
【００１２】
以下、図面に示す実施例に基づき本考案の実施の形態を説明する。
【００１３】
図１は本考案に係る巻き尺の構成を示し、（ａ）は斜視図、（ｂ）は（ａ）のＡ−Ａ断面図である。同図に示す巻き尺は、テープ状のベース部材１と、その表面と裏面に積層された表層部材２とからなり、表層部材２の表面には目盛り３が印刷されている。
【００１４】
ベース部材１としては、ガラス繊維を平織した、いわゆるガラスヤーンを用いている。表層部材２としては、オレフィン樹脂であるＥＶＡ樹脂（エチレン−酢酸ビニル共重合体）のフィルムを用いており、これをラミネート加工等によりベース部材１の表面と裏面に積層し、全体の厚みを例えば０．６５±０．０５ｍｍとしている。
【００１５】
表層部材２の表面にはコロナ放電処理が施されており、これによって表面に凹凸を形成され粗面となっている。そして、コロナ放電処理後の表層部材２の表面には、各種仕様及び寸法の目盛り３が印刷されている。
【００１６】
このように、本考案では表層部材２の表面にコロナ放電処理を施すことで表層部材２の表面に凹凸が形成されて粗面となるので目盛り用のインキの食いつきが良くなり、付着性が向上する。また、表面の凹凸により光の反射が抑制されハレーションを防止することもできる。なお、ハレーションをより確実に防止するためには、目盛り用のインキとして、つや消しインキを用いることが好ましい。
【００１７】
コロナ放電処理の条件は、表層部材２の表面粗度が適正な範囲になるように適宜調整する。すなわち、表層部材２の表面粗度が大きすぎるとインキがにじんでしまい、表面粗度が小さすぎるとインキの付着性が低下するので、コロナ放電処理の条件を調整することで、表層部材２の表面粗度が適正な範囲になるようにする。
【図面の簡単な説明】
【００１８】
【図１】本考案に係る巻き尺の構成を示し、（ａ）は斜視図、（ｂ）は（ａ）のＡ−Ａ断面図である。
【符号の説明】
【００１９】
１  ベース部材
２  表層部材
３  目盛り
【図１】
0003115369.tif 000003
(57)【要約】      （修正有）【課題】瞳孔の形状や色を変更できるコンタクトレンズを提供すること。【解決手段】円形のレンジ本体１０を有し、該レンズ本体に使用者の虹彩に対応して異なる形状を有するパターン１２が設けられ、該パターンに瞳孔に対する光透過ゾーン１４が設けられる。【選択図】図１
0003115555.tif 000002
【実用新案登録請求の範囲】
【請求項１】
円形のレンジ本体を有し、
該レンズ本体に使用者の虹彩に対応して異なる形状を有するパターンが設けられ、
該パターンに瞳孔に対する光透過ゾーンが設けられることを特徴とする、
コンタクトレンズ。
【請求項２】
前記パターンはハート形であることを特徴とする、請求項１に記載のコンタクトレンズ。
【請求項３】
前記パターンはアメリカドルのマークのような形状であることを特徴とする請求項１に記載のコンタクトレンズ。
【考案の詳細な説明】
【技術分野】
【０００１】
本考案は、特に瞳孔の形状や色を変更するコンタクトレンズに関するものである。
【背景技術】
【０００２】
近年、メガネの代わりにコンタクトレンズを用いて、お洒落をする人が多くなっているが、このコンタクトレンズは、物をより鮮明に見るだけでなく、瞳孔の色を変更したり、瞳孔を拡大させたように見せたりする効果を有している。
【考案の開示】
【考案が解決しようとする課題】
【０００３】
しかしながら、従来のコンタクトレンズは上記の効果のみであり、瞳孔の外観、即ち形状を変更することはできなかった。
【０００４】
そこで、考案されたのが本考案であって、本考案は瞳孔の形状や色を変更するコンタクトレンズを提供することを目的とする。
【課題を解決するための手段】
【０００５】
本願の第１考案は、円形のレンジ本体を有し、該レンズ本体に使用者の虹彩に対応して異なる形状を有するパターンが設けられ、該パターンに瞳孔に対する光透過ゾーンが設けられることを特徴とするコンタクトレンズ、を提供する。
【０００６】
本願の第２考案は、前記パターンはハート形であることを特徴とする前記第１考案のコンタクトレンズ、を提供する。
【０００７】
本願の第３考案は、前記パターンはアメリカドルのマークのような形状であることを特徴とする前記第１考案に記載のコンタクトレンズ、を提供する。
【考案の効果】
【０００８】
本考案は上記の課題を解決するものであり、コンタクトレンズのレンズ本体に異なる形状を有するパターンを設け、該パターンによって瞳孔の形状や色を変更して、コンタクトレンズのデザイン性を高めることにより、使用時の面白さを向上させることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るコンタクトレンズの第１実施例の使用状態を示す平面図であり、図２は本考案に係るコンタクトレンズの第２実施例を示す平面図であり、図３は本考案に係るコンタクトレンズの第３実施例を示す平面図であり、図４は本考案に係るコンタクトレンズの第４実施例を示す平面図である。
【００１１】
図１に示すように、本考案に係るコンタクトレンズは円形のレンジ本体（１０）を有し、該レンズ本体（１０）に使用者の虹彩に対応するパターン（１２）が設けられ、該パターン（１２）に瞳孔に対する光透過ゾーン（１４）が設けられる。
【００１２】
前記パターン（１２）は例えばハート形であり、本考案に係るコンタクトレンズを使用する際、使用者の瞳孔をハート形に変わることにより、面白さを向上する。
【００１３】
前記光透過ゾーン（１４）は光線を瞳孔に入るため用いられるので、従来のコンタクトレンズと同様でもよい。
【００１４】
又、図２乃至図４に示すように、前記パターン（１２）は異なる形状であってもよく、例えば、アメリカドルのマークのような形状や、花のような形状や、星のような形状であってもよい。
【００１５】
本考案は上記の構成を有するので、コンタクトレンズのレンズ本体に異なる形状を有するパターンを設け、該パターンによって瞳孔の形状や色を変更して、コンタクトレンズのデザイン性を高めることにより、使用時の面白さを向上させることができる。
【図面の簡単な説明】
【００１６】
【図１】本考案に係るコンタクトレンズの第１実施例の使用状態を示す平面図である。
【図２】本考案に係るコンタクトレンズの第２実施例を示す平面図である。
【図３】本考案に係るコンタクトレンズの第３実施例を示す平面図である。
【図４】本考案に係るコンタクトレンズの第４実施例を示す平面図である。
【符号の説明】
【００１７】
１０        レンズ本体
１２        パターン
１４        光透過ゾーン
【図１】
0003115555.tif 000003
【図２】
0003115555.tif 000004
【図３】
0003115555.tif 000005
【図４】
0003115555.tif 000006
(57)【要約】【課題】全ての手指を同時に広げることができ、そのことによって脳に刺激を与え、血流を促す。その間手指は持ち上がってしまわないようにし、手指を広げた状態を維持できるようにする。【解決手段】台盤に手指が徐々に広がるような形状のあてものを設置する。このことによってあらゆる手の大きさにも対応できるようになり、広げた状態を維持することができる。さらにカバーを付けることによって広がった手指が持ち上がってしまわないように矯正することができる。【選択図】図１
0003115521.tif 000002
【実用新案登録請求の範囲】
【請求項１】
手のひら全体を広げ、刺激することで、脳の血流を促し、手指のなめらかな動作を維持、回復に役立てるための健康器具。
【請求項２】
広げた手のひらを上部より圧迫固定することにより、握力、ばね指等の改善に役立つ健康器具。
【考案の詳細な説明】
【技術分野】
【０００１】
本考案は、手のひらを広げたままの状態を保つことで、脳の血流を促す健康器具に関するものである。
【背景技術】
【０００２】
リハビリテーション等の中において片方の手のひらを机等に固定し、もう片方の手や他人の手によってひっぱったり、もんだりしていた。
【０００３】
しかし、自分で自分の手を固定し、ひっぱろうとすると一度に複数の指に対してはできない。また、他人の手を借りることは手数がかかり、特に体力の無い高齢者等にはできないという欠点があった。
【０００４】
ひっぱることにおいて労力がかかってしまうのは大きな障害である。具体的には、手指の動作に障害のある人や、体力が無い高齢者は自分自身ではできないので他人任せになってしまうなどの問題があった。
【０００５】
この改善策として、注射、手術、鍼灸等があるが、非常に手間がかかることと、一人では改善させることが難しいことが問題である。
【非特許文献１】主婦と生活社  最新家庭の医学百科
【非特許文献２】保健同人社    家庭の医学
【考案の開示】
【考案が解決しようとする課題】
【０００６】
解決しようとする問題点は、自分で複数の指に対して伸ばすという動作ができないこと、状態を維持できない点である。
【課題を解決するための手段】
【０００７】
本考案は、指の間（指間）を広げた状態を固定することで指を伸ばし、固定した指が持ち上がらないようにすることを最も主要な特徴とする。
【考案の効果】
【０００８】
本考案の手の指健康器具は効果的に自分自身で手の指を伸ばすことができるという利点がある。
【考案を実施するための最良の形態】
【０００９】
脳の血流を促すのに手指を刺激することで効果的に実現し、かつ手指の障害のリハビリ効果も実現した。
【実施例１】
【００１０】
図１は、本考案装置の実施例である。人間の左手が入っている。１は台盤で、２、３、４は指間を広げるあてものである。５は広げた指が持ち上がってしまうのを防ぐカバーである。
【００１１】
あてものはあらゆる手の大きさに対応できるような形状（逆三角形等）になっており徐々に手を広げることができるようになっている。また、２のあてものは本考案装置が片手だけでなく、両手が使用できるよう動くようになっており、配置されたものである。
【００１２】
図２の実施例は、カバーを外し、図１のa方向より右手を入れた図である。
【００１３】
図３の実施例は、カバーを外し、図１のb方向より左手を入れた図である。２のあてものが動くことにより左右の手を交互に１台の器具で使用することができる。
【産業上の利用可能性】
【００１４】
台盤に凹凸をつけることにより手指のツボを刺激する用途にも適用できる。
【図面の簡単な説明】
【００１５】
【図１】手の指健康器具の左手を使った使用例（実施例）
【図２】カバーを外し右手を入れた場合の使用例
【図３】カバーを外し左手を入れた場合の使用例
【符号の説明】
【００１６】
１    台盤
２    あてもの１
３    あてもの２
４    あてもの３
５    カバー
【図１】
0003115521.tif 000003
【図２】
0003115521.tif 000004
【図３】
0003115521.tif 000005
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
可動する三角形状のあてものが設置され、指の間にあてものがはまることにより手のひらを広げる健康器具。
【請求項２】
広げた手のひらにおいて指が持ち上がらないように蓋がついたことを特徴とする請求項１記載の健康器具。
(57)【要約】      （修正有）【課題】ベッド上の敷パッドのへりからの手滑りによる事故を防ぐ機能を得る。【解決手段】厚紙パイプを敷パッドに取り付け手すりの役目をもたせた。【選択図】図１
0003115508.tif 000002
【実用新案登録請求の範囲】
【請求項１】
ベッド用敷パッドに手滑り防止用バーを取付ける。
【考案の詳細な説明】
【技術分野】
【０００１】敷パッドの両側のへりに厚紙パイプを手すりとして取付けたものである。〔背景技術〕【０００２】ベッドからの転落防止柵、離床支援バーが挙げられる。〔考案の開示〕〔考案が解決しようとする課題〕【０００３】従来のベッド用敷パッド上で横臥姿勢から起上がる際や寝返えりの際手の平、肘をパッドのへりで滑らせ腕の捻挫、転落防止を起こすことがある。又従来の転落防止柵はベッドに腰かけることや介護の妨げとなる等の問題がある。〔課題を解決するための手段〕【０００４】ベッドパットの両側へりを袋状に縫い、そこに厚紙パイプを通して手すりとした。〔考案の効果〕【０００５】袋状であれば着脱が手早く出来、パッド交替を容易にしている。【０００６】厚紙パイプは軽量、強度、安全性、燃焼時有害ガスを出さない点及びコスト面から採用した。両端にキャップを被せ着脱を容易にし、異物の混入を防ぐ。【０００７】本考案の手すりにより単行本や眼鏡等のベッド下への落下を妨ぐ。【０００８】附加的に担架としての機能を有する。
【図面の簡単な説明】
【０００９】
【図１】厚紙バー手すり付パッドのベッド上での実用例
【図２】上記断面を表わす。
【図３】パッドにバー手すりを取付けたものを示す。
【図１】
0003115508.tif 000003
【図２】
0003115508.tif 000004
【図３】
0003115508.tif 000005
(57)【要約】【課題】靴の中敷に異なるサイズの切り取り線を形成し、使用者が中敷を裁断する場合、靴のサイズを中敷の切り取り線に合わせて裁断すれば、適宜なサイズに中敷を裁断することができる靴の中敷を提供する。【解決手段】  パルプと、薬剤成分を含む有機材を基材とし、吸湿性、抗菌、除臭、環境保護の特性を具える材質を形成してなり、表面には適当な位置に凸部を形成し、つま先側の端縁部から異なるサイズの切り取り線を設け、異なる使用者の必要に応じて裁断するために供する。【選択図】図１
0003115503.tif 000002
【実用新案登録請求の範囲】
【請求項１】
パルプと、薬剤成分を含む有機材を基材とし、吸湿性、抗菌、除臭、環境保護の特性を具える材質を形成してなり、表面には適当な位置に凸部を形成し、つま先側の端縁部から異なるサイズの切り取り線を設けることを特徴とする特徴とする靴の中敷。
【請求項２】
前記パルプに、適当な香料を加えることを特徴とする靴の中敷。
【請求項３】
前記切り取り線は、統一された靴のサイズに合わせて設けられることを特徴とする靴の中敷。
【考案の詳細な説明】
【技術分野】
【０００１】
本考案は、靴の中敷に関する。
【背景技術】
【０００２】
現代人の生活水準の上昇とともに、人々の靴に対する需要はもはや単純に足の裏を保護するだけでなく、通気性、心地よさ、服装に合わせるなど異なってきている。これは、靴がすでに人々の日常生活において重要なアイテムになったことを示している。また、台湾は湿気の多い島国であるため、長時間靴を履いていると、足に汗をかく。よって、通気性が悪いか、もしくは材質の悪い靴を履いていると、必ず水虫や足が臭くなるなどの症状が発生する。そのため、台湾では約４０％以上の人が水虫や足が臭いなどといった問題を抱えている。
【０００３】
そこで、考案者は、靴の中敷の基本的な材質として吸湿性に優れたパルプを利用し、成型成分に医療的な効果を有する天然植物、草などを配合し、靴の中敷に優れた吸湿性、抗菌、除臭といった特性を加えて、水虫を防止及び水虫患者を治療するとともに、パルプを素材としているため環境保護の問題においても廃棄時に完全に分解、リサイクルできるようにした。
【０００４】
また、靴は一般的に使用者が異なると、サイズや規格が異なる。しかし、靴の中敷はいずれも統一された固定サイズなっている。そこで、サイズが小さい靴に中敷を敷く場合、使用者は自分で中敷を裁断して使用しなければならない。しかしながら、中敷を適当なサイズより裁断しすぎた場合、靴の中に中敷を敷くと靴の中で、滑りやすくなる。一方、適当する寸法が足らない場合、中敷を靴の内部に敷くことができない。
【考案の開示】
【考案が解決しようとする課題】
【０００５】
この考案は、靴の中敷に異なるサイズの切り取り線を形成することによって、適宜なサイズに中敷を容易に裁断できる靴の中敷を提供することを課題とする。
【０００６】
また、この考案は、靴の中敷の表面に複数の凸部を形成し、該凸部が足の裏にあるつぼや、体重が直接かかる両足の裏を適宜にマッサージすることができる靴の中敷を提供することを課題とする。
【課題を解決するための手段】
【０００７】
そこで、本考案者は従来の技術に見られる欠点に鑑みて鋭意研究を重ねた結果、パルプと、レモングラスとを含んでなり、吸湿性、抗菌、除臭、環境保護の特性を具え、成型後の表面には適当な位置に凸部を形成し、つま先に位置する端縁部に異なるサイズの切り取り線を設け、異なる使用者の必要に応じて裁断するために供した靴の中敷によって本考案の課題を解決できる点に着眼し、かかる知見に基づいて本考案を完成させた。
【考案の効果】
【０００８】
この考案の靴の中敷は、パルプは吸湿性が強く、抗菌、除臭の特性を具えているため、水虫を防止及び治療し、且つ廃棄時に完全に分解もしくはリサイクルできるため環境保全に役立つ効果を有する。
【０００９】
また、この考案の靴の中敷は、つま先に位置する表面に切り取り線を形成しているため、使用者は適宜なサイズに中敷を裁断することができ、裁断しすぎた場合の不快感を防ぐ効果を有する。
【００１０】
さらにこの考案の靴の中敷は、表面に複数の凸部を形成し、該凸部が適当に足裏のつぼを刺激するため、体をほぐし、健康的な効果を有する。
【考案を実施するための最良の形態】
【００１１】
図１に開示するように、本体１はパルプと、適宜な薬草の成分を加え、圧縮して成型し、患者の症状に合わせて異なる薬草の成分を加えて形成する。該本体１は、表面に足裏のつぼを刺激する複数の凸部１１を形成し、薬草の成分が足裏のつぼから直接、人の経路に入り込むため、使用者は必ず薬効を得ることができる。足裏マッサージはとりわけ筋肉痛である人に、優れた効果を発揮する。すなわち、緊張し、忙しい生活を送っている現代人には、大きな効果をもたらす。
【００１２】
また、該本体１はパルプを主な原料としてなり、該パルプは強力な吸着力と乾きやすさを具えている。すなわち、使用者が足に汗をかいた場合、使用者が履いている綿の靴下と中敷が汗を完全に吸収し、水虫にならないように足の指の間を乾燥した状態に保つ。さらに本体１の使用後、わずかな時間太陽の光にあてるだけで、乾燥した状態になる。
【００１３】
また、本体１はつま先に位置する端縁部にサイズの異なる切り取り線１２を設けた裁断部１０を具えてなる。図２に開示するように、本体１は、つま先に位置する端縁部に複数の異なるサイズの切り取り線１２を設けた裁断部１０を形成する。それぞれの切り取り線１２は統一された規格のサイズを表し、使用者は必要なサイズに合わせて裁断することができる。よって、適宜なサイズの中敷になり、適当なサイズに裁断しなかった本体１をやむをえず靴に敷いた場合、本体１が靴の内部で前後に動いてしまう状況を防ぐことができる。
【００１４】
前述のように、この考案の本体１はパルプと、例えばレモングラスなどのその他の薬効成分を具えた有機材を基材とし、吸湿性を強化し、抗菌、除臭、環境保護などの特性を具えるため、水虫を予防する効果を具える。また、本体は、つま先側の端縁部から異なるサイズの切り取り線１２を設ける。このため、使用者がそれぞれ必要なサイズに裁断し、それぞれの使用者の要求に応じることができる。
【図面の簡単な説明】
【００１５】
【図１】この考案の靴の中敷を示した説明図である。
【図２】図１に開示する靴の中敷を示した平面図である。
【符号の説明】
【００１６】
１    本体
１０  裁断部
１１  凸部
１２  切り取り線
【図１】
0003115503.tif 000003
【図２】
0003115503.tif 000004
【手続補正書】
【提出日】平成17年8月24日(2005.8.24)
【手続補正１】
【補正対象書類名】実用新案登録請求の範囲
【補正対象項目名】請求項２
【補正方法】変更
【補正の内容】
【請求項２】
前記パルプに、適当な香料を加えることを特徴とする請求項１記載の靴の中敷。
【手続補正２】
【補正対象書類名】実用新案登録請求の範囲
【補正対象項目名】請求項３
【補正方法】変更
【補正の内容】
【請求項３】
前記切り取り線は、統一された靴のサイズに合わせて設けられることを特徴とする請求項１記載の靴の中敷。
(57)【要約】      （修正有）【課題】容器を簡単に包装することと、容器を楽に持ち運びしやすくすることを目的とするバッグ兼用お弁当ナプキンを提供する。【解決手段】正方形の布地の対角線角部に持ち手（１）を、もう一方の対角線角部に定位置の移動が可能な着脱式布製テープ（３Ａ、３Ｂ）を設けることで、容器を簡単に包装又は持ち運びができる。【選択図】図１
0003115509.tif 000002
【実用新案登録請求の範囲】
【請求項１】
正方形の布地の対角線角部に持ち手を、もう一方の対角線角部に定位置の移動が可能な着脱式布製テープを設けることで、容器を簡単に包装又は持ち運びができるバッグ兼用お弁当ナプキン。
【考案の詳細な説明】
【技術分野】
【０００１】  本考案は、容器の下に敷く事と容器を簡単に包装する事に加え、持ち運びをしやすくするためのバッグ兼用お弁当ナプキンに関するものである。
【背景技術】
【０００２】  従来のナプキンは、容器の下に敷く事以外に、容器を包装するため対角線同士を結んで使用していた。
【考案の開示】
【考案が解決しようとする課題】
【０００３】  しかし、これには次のような欠点があった。
（イ）  ナプキンで容器を包装した時、出来た結び目が大きく、手に持った感触にごつごつとした違和感があった。
（ロ）  通園児が使用する際、結ぶ、解くといった作業は困難であり、食事を開始するまでに時間がかかっていた。そのため別々に弁当袋を用意しなければならなかった。
【課題を解決するための手段】
【０００４】  そこで、正方形の布地の対角線角部に持ち手を、もう一方の対角線角部に定位置の移動が可能な着脱式布製テープを設けることで、容器を簡単に包装又は持ち運びができるようなバッグ兼用お弁当ナプキンの考案を試みた。
【考案の効果】
【０００５】  よって、バッグ兼用お弁当ナプキンを使用することで移動の際の持ち運びが楽になり、また、余分な作業を解消することで食事時間に余裕ができる。
【考案を実施するための最良の形態】
【０００６】  図１に示す正方形の布地の対角線上角部に持ち手（１）を設け、もう一方の対角線角部にそれぞれ内面には短めに裁断した着脱式布製テープ凹（３Ａ）を、外面には長めに裁断した着脱式布製テープ凸（３Ｂ）を縫着する。このテープを利用することで、容器の大きさにより安定できる幅や位置を設定できる。
中央に弁当容器（Ｌ）とお箸セット（Ｈ）を置いてからテープを設けた角部同士を係着させ、持ち手（１）同士を持ち上げればバッグの形態に仕上がるが、それだけでは包装された中の容器等がずれるなど不安定なので、持ち手（１）の下部に２組のスナップボタン（２）を設置、係着して完成する。
なお、布地の外面に撥水加工を施されていると、より望ましい。
【図面の簡単な説明】
【０００７】
【図１】  本考案の展開図である。
【図２】  本考案の、使用した状態の実施例図である。
【符号の説明】
【０００８】１      持ち手
２      スナップボタン
３Ａ    着脱式布製テープ凹
３Ｂ    着脱式布製テープ凸
Ｌ      弁当容器
Ｈ      お箸セット
【図１】
0003115509.tif 000003
【図２】
0003115509.tif 000004
(57)【要約】【課題】  災害時にヘルメットに転用できる携帯用バッグを得る。【解決手段】  一対の手提げ紐を有する携帯用バッグの外殻を軽金属もしくはプラスチックとし、かつその内面に、頭部を収納する緩衝部材を設ける。【選択図】  図１
0003115510.tif 000002
【実用新案登録請求の範囲】
【請求項１】
一対の手提げ紐を有する携帯用バッグであって、その外殻が軽金属もしくはプラスチックでなり、かつその内面に、頭部を収納する緩衝部材を設けたことを特徴とする、ヘルメット兼用バッグ。
【考案の詳細な説明】
【技術分野】
【０００１】  本考案は、災害時にヘルメットに転用できるバッグに関するものである。
【背景技術】
【０００２】  本考案と似た発想から生みだされた先行出願に、「防災頭巾兼用バッグ」（特許公開平成８−２５６８１３）や「防災頭巾」（実用公開昭和５８−６７４５７）がある。
【考案の開示】
【考案が解決しようとしている課題】
【０００３】  しかしながら、それら従来技術はいずれも、布や革製のバッグを緊急時に防護頭巾にして頭部を保護するというものであり、強度面で問題があった。
【０００４】  例えば、昨今頻発している地震災害のばあい、都市部では割れたビルの窓ガラスの落下等が生じる。その際、布や革製の防護頭巾では十分に頭部を保護できない。そこで、より強力な防護機能を有する、ヘルメット兼用バッグの出現が待ち望まれていた。本考案はこの長年の要望に答えるためになされたものである。
【課題を解決するための手段】
【０００５】  すなわち、本考案によるヘルメット兼用バッグは、一対の手提げ紐を有する携帯用バッグであって、その外殻が軽金属もしくはプラスチックでなり、かつその内面に、頭部を収納する緩衝部材を設けたことを特徴とするものである。
【考案の効果】
【０００６】  本考案によるヘルメット兼用バッグは、外殻が軽金属もしくはプラスチックでできているため、従来の布や革製の防護頭巾に比べ、より強力に頭部を保護することができる。また、普段はバッグとして使用でき、地震等の災害時にはすぐにヘルメットに転用できる。
【考案を実施するための最良の形態】
【０００７】  以下、本考案によるヘルメット兼用バッグの最良の実施形態を図面に沿って説明する。本考案によるヘルメット兼用バッグは、一対の手提げ紐（２）を有し、その外殻（１）が軽金属もしくはプラスチックでなり、かつその内面に、頭部を収納する緩衝部材（３）を設けてなるものである。なお、バッグには蓋（４）を取り付けてもよい。
【実施例】
【０００８】  外殻（１）の素材は、ジュラルミン等の軽金属やプラスチックが、軽く強度もあり適している。なお、外面を着色したり、図柄を描いたり、あるいは布張りや革張りを施すと、携帯用バッグとしてのファッション性も向上する。【０００９】  バッグ内面の、頭部を収納する緩衝部材（３）の素材は、クッション性を有するものであれば何でもよく、布、綿、スポンジ、発砲スチロール等を用いることができる。また、通常のヘルメットに内装されている、緩衝用ハンモックを取り付けてもよい。【００１０】  手提げ紐（２）は、ヘルメットとして使用する時には、図３のように、あご紐になる。あご紐どうしを結び合わせて止めることもできるが、あご紐相互の先端部にマジックテープ（登録商標）等の着脱部材を取り付けて、あご紐を止めるようにしてもよい。蓋（４）は、ヘルメットとして使用する時には、図３のように後頭部の保護具となる。【００１１】  以上のように、本考案によるヘルメット兼用バッグは、外殻が軽金属もしくはプラスチックでできているため、従来の布や革製の防護頭巾よりも強力に頭部を保護することができる。加えて、普段はファッショナブルなバッグとして持ち歩くことができ、地震等の災害時にはすぐにヘルメットに転用できるので、地震等の災害が多発する昨今の備えとして非常に有用な考案である。【００１２】  なお、本考案によるヘルメット兼用バッグの形状に関しては、図面では直方体形状としたが、本考案の主旨を逸脱しない範囲で、立方体、多面体、あるいは丸味を帯びた形状等であってもよい。
【図面の簡単な説明】
【００１３】
【図１】  本考案によるヘルメット兼用バッグの斜視図
【図２】  本考案によるヘルメット兼用バッグの正面図
【図３】  本考案によるヘルメット兼用バッグを、ヘルメットとして使用しているところを示す側面図
【符号の説明】
【００１４】    １        外殻
２        手提げ紐
３        頭部収納緩衝部材
４        蓋
【図１】
0003115510.tif 000003
【図２】
0003115510.tif 000004
【図３】
0003115510.tif 000005
(57)【要約】      （修正有）【課題】サドルのように股に挟まなくても尻を腰掛に密着させることにより、走行が安定し、安全に乗降することができる自転車用腰掛を提供する。【解決手段】  上面がほぼだ円形の腰掛で腰掛の中央部（１）を前から後ろまでかるく高くしてある、左右の（２）は尻の形に合うよう凹状となっている（３）は左右両端から後部にかけかるくせり上げ（１）（２）（３）の相乗効果により尻を密着させ走行を安定させる。この形の効果により従来のサドルのように股に挟む必要が無くなり、乗降の支障となっていた腰掛前部の突部が無い形となった。【選択図】図２
0003115507.tif 000002
【実用新案登録請求の範囲】
【請求項１】
自転車用腰掛において、上面がほぼ楕円形状であり、前部中央部に中心を感知するための凸部を設けるとともに、尻の底部になじむよう左右に凹部を設け、又左右端部から後部にかけてせり上げたサドルからなる。
【考案の詳細な説明】
【考案の詳細な説明】
【０００１】［産業上の利用分野］
この考案は自転車用腰掛である。
【０００２】［従来の技術］
従来は前部の出たサドルである。
【０００３】［考案が解決しようとする課題］
従来はサドルを股にはさんで体を安定させる為、腰掛の前部が出ている、自転車を利用する、女性、老人、小供は前から乗り降りすることが多い、しかし乗降時股がひっかかりすばやく乗降しづらい欠点があった。
【０００４】［課題を解決するための手段］
上面がほぼ楕円形状の腰掛で尻の底部があたる部分左右に凹部を設け、左右端部から後部にかけてせり上げ、前部中央部に中心を感知するための凸部を設ける。腰掛に尻底部が密着することにより走行が安定する。
又従来のサドルのように前部が無いことにより乗降の時股がひっかからずより安全に乗降することができる。
【０００５】［実施例］
本考案の自転車用腰掛について図１に基づいて説明する。（１）は腰掛前部に中央を感知するための凸部を設け、中央部がかるく高くなっている。（２）は尻の形に合うよう左右が凹状となっている、（３）は腰掛の左右両端から後部にかけせり上げ（１）（２）（３）の相乗効果により自転車の走行を安定させることができる。
【０００６】［考案の効果］
尻が腰掛に密着することによりサドルを股に狭まなくても走行が安定し前部の穴部を無くすることができ、その効果により、より安全に自転車に乗降することができる。
【図面の簡単な説明】
【０００７】［図１］本考案の実施例を示す正面図、平面図、右側面
Ａ−Ａ’断面図  Ｂ−Ｂ’断面図  Ｃ−Ｃ’断面図
［図１の符号の説明］
（１）は中央部
（２）は凹部
（３）はせり上げ部
［図２］本考案の使用例
［図２の符号の説明］
（１）従来のサドルの使用例
（２）本考案の使用例
【図１】
0003115507.tif 000003
【図２】
0003115507.tif 000004
(57)【要約】      （修正有）【解決手段】この考案は、２つ折りの片枠側に平面鏡（３）を取り付ける、他の片枠側に凸面鏡（４）を取り付ける、両面鏡である。  【効果】従来の両面鏡は平面鏡（３）で、顔の部分しか見ることが出来ないが、片面に凸面鏡（４）を取り付けた事により、上半身が映り、容姿のチェック、ネクタイ、アクセサリー等のチェックができます。２つ折になっていて、携帯に便利で、平面、凸面、後視鏡の種々の利用価値があり、特に凸面鏡（４）は振り向かないで、後方確認が出来て防犯用等にも利用できる。本体の材質は、耐久性のプラスチックス等適宜素材にて形成し形や色等のデザインは、種々多彩に施す事が出来る。【選択図】図１
0003115506.tif 000002
【実用新案登録請求の範囲】
【請求項１】
本考案は、２つ折りの片枠側に平面鏡（３）を取り付ける、他の片枠側に凸面鏡（４）を取り付ける両面鏡である。
【請求項２】
従来、片面に平面鏡（３）片面に拡大鏡はありました。
【請求項３】
小型の平面鏡（３）は、顔の部分しか見ることができないが、片面の凸面鏡（４）は、上半身を見る機能をもたせることを目的としている。
【請求項４】
２つ折り枠の背面板の片面に平面鏡（３）をとりつける、他の一面に凸面鏡（４）を取り付ける以上の構成よりなる両面鏡である。
【請求項５】
平面鏡（３）は、細部の状態を見ることができる、凸面鏡（４）は広範囲の状態を映し容姿、ネクタイ、アクセサリー等のチェックが出来る。
【請求項６】
２つ折りになっており、右側が平面鏡（３）で、左側が凸面鏡（４）です、形態は種々の形にすることもできる。
【請求項７】
枠（１）と背面板（２）は、耐久性のプラスチックス等適宜素材にて形成して、使用し鏡は接着剤で固定する。
【請求項８】
この考案は、主として携帯用に使用する、小型の平面鏡（３）凸面鏡（４）の組合せたミラーです、凸面鏡（４）は振り向かないで後方確認が出来て防犯用等にも利用出来る。
【考案の詳細な説明】
【技術分野】
【０００１】
本考案は、携帯用の両面鏡に関するものである。
【背景技術】
【０００２】
従来は２つ折りの片面に平面鏡（３）反対面に拡大鏡の付いた鏡はあった。
【考案の開示】
【考案が解決しようとする課題】
【０００３】
小型の平面鏡（３）は顔の部分しか見ることができないが、片面の凸面鏡（４）は、上半身を見る機能をもたせることを目的としている。
【課題を解決するための手段】
【０００４】
２つ折りの片枠側に平面鏡（３）を取り付ける、他の片枠側に凸面鏡（４）を取り付ける。以上の構成よりなる両面鏡である。
【考案の効果】
【０００５】
平面鏡（３）は、細部の状態を見ることができる、凸面鏡（４）は、広範囲の状態を映し容姿、ネクタイ、アクセサリー等のチェックが出来る。
【考案を実施するための最良の形態】
【０００６】
２つ折りになっており、右側が平面鏡（３）で、左側が凸面鏡（４）です、形態は種々の形にすることも出来る。
【実施例】
【０００７】
枠（１）と背面板（２）は耐久性のプラスチックス等適宜素材にて形成して、使用し鏡は接着剤で固定する。
【産業上の利用可能性】
【０００８】
この考案は、主として携帯用に使用する、小型の平面鏡（３）と凸面鏡（４）の組合せたミラーです、凸面鏡（４）はバックミラーとしても使用できる、振り向かないで後方確認が出来て、防犯用等にも利用出来る。
【図面の簡単な説明】
【０００９】
【図１】本考案の断面図
【図２】本考案の平面図
【符号の説明】
【００１０】
１  本体の枠
２  本体の平面板
３  平面鏡
４  凸面鏡
５  ２つ折りの軸
【図１】
0003115506.tif 000003
【図２】
0003115506.tif 000004
【手続補正書】
【提出日】平成17年8月12日(2005.8.12)
【手続補正１】
【補正対象書類名】実用新案登録請求の範囲
【補正対象項目名】全文
【補正方法】変更
【補正の内容】
【実用新案登録請求の範囲】
【請求項１】
本考案は、２つ折りの片枠側に平面鏡（３）を取り付ける、他の片枠側に凸面鏡（４）を取り付ける両面鏡である。
(57)【要約】      （修正有）【課題】台木の印面側に凸状のゆるやかな湾曲を設け、土器等の曲面を有するものや石器などの不定形なものへ鮮明に小さな文字等を押印することのできる遺物のマーキングスタンプに関するものである。【解決手段】薄手の台木印面が蒲鉾形になるような２種類の湾曲面を設けることにより、押印する際のスタート位置を決めやすく、歪みが少ない文字の押印ができる。押印対象は曲面をもつものに特に有効で、接触面を転がすように操作することにより、ほとんどの凹面、凸面に鮮明に押印ができるようにした。【選択図】図１
0003115502.tif 000002
【実用新案登録請求の範囲】
【請求項１】
台木の印面側に蒲鉾形の凸状湾曲をつけ、曲面体の凹面、凸面のあるものに鮮明に小さな文字等の押印ができることを特徴とする遺物マーキングスタンプ。
【考案の詳細な説明】
【技術分野】
【０００１】  本考案は、遺物のマーキングに関し、土器・石器等の不規則な曲面を有するものへ小さな文字等を押印することのできるスタンプに関する。
【背景技術】
【０００２】  従来、遺跡から出土した遺物に、遺跡名や遺構名等をマーキングする場合は、手書き・スタンプ・実登３０１２５３６マーキング装置が使用されていた。【０００３】  曲面用の捺印具としては、実開平０７−０１１３４９・特開平０９−２６３０２９・特開２０００−０６２３０・６・実開昭６１−００８１６６・実開昭６２−０１３６６５がある。これらのものは規格がある凸曲面に対して有効であって、不規格な凸曲面や凹曲面に対して押印するには十分ではない。【０００４】  印面を加工したもので、実開平０３−０７２４６７があるが、これは、印面の１ないし２箇所の隅切りをし、独立したブロックを形成し、異なる印面を２つ以上設けたものであり、本考案とは用途と作用効果を異にしている。【０００５】  印面を加工したもので、特開２００４−００９７２５・特開２００５−０２８８５８・実開昭６０−１３２３５２・実開平０３−０７２４６８があり、円弧状の捺印面をもつ。平面のものへ小さな力で鮮明に捺印することなどを課題としており、本考案とは大きさ、用途を異にしている。また、曲面は円弧状のものであって、本考案の２種類の曲面をもつものとは異なっている。
【考案の開示】
【考案が解決しようとする課題】
【０００６】  手書きの場合は、労力と時間がかかり、１日でできる個数が限られ、手作業ゆえ一定した品位の仕上がりが得られない問題点があった。【０００７】  従来のスタンプは印面が平坦であるため、不規則な曲面を有する遺物では文字が鮮明に印字できない問題点があった。【０００８】  遺物は小破片なものが多く、できるだけ小さな文字を使用しなければならないため、従来の台木では大きすぎる問題があった。【０００９】  印面が円弧状のものは、ゴムパッドが延びることで、字が歪み、安定性を欠く問題点があった。【００１０】  マーキング装置は設備等が大掛かりとなり設置場所が必要であり、高価である。
【課題を解決するための手段】
【００１１】  台木は指先で摘めるような薄手で小型のものを使用し、台木印面側に蒲鉾形の緩やかな湾曲をつけた。印面の湾曲は、端部はややきつく、中央部は平坦に近い曲面の２種類の湾曲面を設け、土器や石器のような不規則な凹凸面をもつ遺物に、歪みの少ない文字のマーキングができるようにしたことを特徴とするスタンプ。
【考案の効果】
【００１２】  本考案は土器や石器等の遺物の凹面および凸面等の不定形なものへ鮮明に押印がおこなえる。【００１３】  本考案は印面に２種類の湾曲面を設けることにより、スタート位置を決めやすく、中央部が平坦に近いことから、歪みが少ない文字が押印できる。【００１４】  本考案は使用者に作業効率を上げ、一定した品位の仕上がりが得られる。【００１５】  本考案は大量生産可能で、使用者に低コストで提供することができる。
【考案を実施するための最良の形態】
【実施例】
【００１６】  木材や合成樹脂等の台木に凸状の蒲鉾形の湾曲面を形成し、その面に印字パッドを貼りつける。台木は厚さ３〜５ミリ程度のものが遺物マーキングには適している。押印方法は従来のスタンプとは異なり、スタンプの端部を被押印物に押し当て、スタンプの印面を転がするように押印する。図３から図５より詳細に説明をする。
３は、印面端部を被押印物にあて、スタート位置をきめたものである。端部がより湾曲しているため、位置決めが容易におこなえる。
４は、スタンプを転がすように押印しているものである。中央部は湾曲が緩いため、歪みの少ない押印がおこなえる。
５は、押印が終了した状態で、端部の湾曲があるため、被押印物からスタンプを離す際の接触面が極力少なくなっている。
【図面の簡単な説明】
【００１７】
【図１】本考案の印面形状を表す正面図
【図２】本考案の印面形状を表す側面図
【図３】本考案の押印方法の実施例１
【図４】本考案の押印方法の実施例２
【図５】本考案の押印方法の実施例３
【符号の説明】
【００１８】  １台木
２印面
３被押印物
【図１】
0003115502.tif 000003
【図２】
0003115502.tif 000004
【図３】
0003115502.tif 000005
【図４】
0003115502.tif 000006
【図５】
0003115502.tif 000007
(57)【要約】【課題】  土石等の付着した鉄板や舗装路面に当接して、路面上の突凹に密接する柔軟性をもち、同突凹に係止されない強靭性と耐久性（路面を掻く耐摩硬度）を具備した合成樹脂板を使用することにより、前記鉄板や舗装路面に付着した土砂や汚れを容易に掻き取れる掃除具を提供すること。【解決手段】  掃除具本体４と掃除具本体４に一体の長尺な手押し部とから成る掃除具において、  掃除具本体４の前縁に柔軟性と強靭性と耐久性を具備したボード６を取着するとともに、掃除具本体４に対して手押し部が三つ股状に取着される。【選択図】  図１
0003115574.tif 000002
【実用新案登録請求の範囲】
【請求項１】
掃除具本体と該掃除具本体に一体の長尺な手押し部とから成る掃除具において、
掃除具本体の前縁に柔軟性と強靭性と耐久性を具備したボードを取着するとともに、掃除具本体に対して手押し部が三つ股状に取着されて成る掃除具。
【請求項２】
前記ボードが商品名日石キュアボードから成る請求項１記載の掃除具。
【考案の詳細な説明】
【技術分野】
【０００１】
この考案は、床面や舗装路面の付着物をスクレーパー状のボードで掻き取る掃除具に関する。
【背景技術】
【０００２】
クロスや床タイルを剥いだ後の残留物を除去するスクレーパー用刃が、実用新案登録第２６０３３５３号（特許文献１）に提案されている。このものは柄の先端に交換自在に取り付けられた弾力性を有する鋼板から成るもので、剥ぎ取りには強いが、逆に床面や路面の凹凸に馴染んで剥ぎ取る柔軟性に欠けている。
また、ほうきにケレン棒を組み込んだケレンボーキなる清掃技術が、特開２００２−１２５９０２号公報（特許文献２）に開示されている。この技術におけるケレン棒もその先端のケレン部は、金属等の鋭利に研削された刃先を有するから、前記と同様に床面や路面の凹凸に馴染まないで全体を剥ぎ取ることになる。したがって、注意深い局部的な付着物の剥ぎ取りになって作業能率の悪いものとなる。
さらに、駅構内の床面や道路面等に付着するチューインガム等の付着物を掻き取るスクレーパー装置が、特許第３７４１９４号（特許文献３）に提案されている。この技術は掻刃を往復振動する原動機を有するなど装置が複雑である。
【特許文献１】実用新案登録第２６０３３５３号
【特許文献２】特開２００２−１２５９０２号公報
【特許文献３】特許第３５７４１９４号
【考案の開示】
【考案が解決しようとする課題】
【０００３】
この考案は、土石等の付着した鉄板や舗装路面に当接して、路面上の突凹に密接する柔軟性をもち、同突凹に係止されない強靭性をもち、路面を掻く硬度を具備した合成樹脂板を使用することにより、前記鉄板や舗装路面に付着した土砂や汚れを容易に掻き取れるようにしようとするものである。
【課題を解決するための手段】
【０００４】
この考案は、前記柔軟性と強靭性と耐久性を具備した合成樹脂板に商品名日石キュアボードを採用した。このものは構造体パレットを多段積みするとき、下に位置する製品物を保護する上積み用保護シートであって、適度の硬さを有し荷重を均等に分散し下部の製品物を保護する目的で販売されている。使用例としては米保管用倉庫において多段に積まれる米袋間に用いられている。
この考案は手押し部が掃除具本体に対して三つ股状に接合され、該掃除具本体の前端に日石キュアボードを取り着けて汚れた路面を掻くことにより課題を解決しようとしている。
【考案の効果】
【０００５】
工場等の広場や通路に敷設された鉄板或いは舗装面に付着する土砂或いは付着物は通常の掃除具では除去に手数がかかるが、この考案では柔軟性と強靭性と耐久性を具備したボードで掻くから容易に剥離し除去することができる。
【考案を実施するための最良の形態】
【０００６】
掃除具本体に接合される手押し部の三つ股を構成する長柄とその左右に一体の支枠は、掃除具本体の幅方向上面に対して平行に取着されるものや、上方又は下方に所要の角度で取着されるものも提供される。
【実施例１】
【０００７】
図１に示すように、断面コの字の横長枠１に手押し部となる長柄２と支枠３を取り付けた掃除具本体４の横長枠１の溝５に、柔軟性（含弾力性）と強靭性と耐久性を具備した合成樹脂のボード（商品名日石キュアボード）６を挟持させて成り、長柄２をもってボード６の前縁７で掻くように使用される。前縁７が消耗するとボードを切りつめ使用を続ける。
【産業上の利用可能性】
【０００８】
工場、作業場に限らずトラックの床面、バス電車などの床面、駅構内路面の掃除に好適な掃除具である。
【図面の簡単な説明】
【０００９】
【図１】この考案掃除具の長柄２の一部を省略した斜視図。
【符号の説明】
【００１０】
１：横長枠
２：長柄
３：支枠
４：掃除具本体
５：溝
６：ボード
７：前縁
【図１】
0003115574.tif 000003